(57)【要約】【課題】サムターン装置の施錠をシリンダ錠側から可能にしたドア用錠装置の提供を目的とする。【解決手段】デッドボルト操作部１への回転操作により進退操作されるデッドボルトを備え、ドア体２に固定される錠本体部３と、  前記デッドボルト操作部１を室内側から操作するサムターン装置４と、  シリンダケース５内に挿入したプラグ６への回転操作により前記デッドボルト操作部１を室外側から操作するシリンダ錠７と、  室外からの操作による前記デッドボルト操作部１の拘束が可能で、シリンダ錠７の施錠状態において拘束状態が維持され、かつ、真正な解錠キー８によるシリンダ錠７への操作によりデッドボルト操作部１への拘束が解除される錠拘束体９とを有して構成する。【選択図】  図２
2005133487.tif 000002
【特許請求の範囲】
【請求項１】
デッドボルト操作部への回転操作により進退操作されるデッドボルトを備え、ドア体に固定される錠本体部と、
前記デッドボルト操作部を室内側から操作するサムターン装置と、
シリンダケース内に挿入したプラグへの回転操作により前記デッドボルト操作部を室外側から操作するシリンダ錠と、
室外からの操作による前記デッドボルト操作部の拘束が可能で、シリンダ錠の施錠状態において拘束状態が維持され、かつ、真正な解錠キーによるシリンダ錠への操作によりデッドボルト操作部への拘束が解除される錠拘束体とを有するドア用錠装置。
【請求項２】
前記プラグは、施錠回転位置を超えて錠固定用回転位置まで回転操作可能であり、
前記錠拘束体は、プラグの錠固定用回転位置への移動に伴って拘束動作し、プラグの解錠回転位置側への移動に伴って拘束解除される請求項１記載のドア用錠装置。
【請求項３】
デッドボルト操作部への回転操作により進退操作されるデッドボルトを備え、ドア体に固定される錠本体部と、
前記デッドボルト操作部を室内側から操作するサムターン装置と、
前記デッドボルト操作部を室外側から操作するシリンダ錠とを有するドア用錠装置であって、
前記シリンダ錠は、錠本体部のデッドボルト操作部に空転不能に連結され、シリンダケースとの回転境界に侵入可能なロック体を保持した錠拘束体と、
シリンダケース内において解錠キーの抜去可能な中立回転位置を中心とする施解錠回転ストローク内での回転操作により前記錠拘束体を追随動させてデッドボルト操作部への施解錠操作がなされるとともに、中立回転位置においてサムターン装置による錠本体部の施解錠操作が許容されるプラグと、
前記プラグが施解錠回転ストロークの施錠側ストローク終端を超えて回転操作された際に該プラグに追随し、ロック体を回転境界に押し出して保持する駆動カムとを有して構成されるドア用錠装置。
【請求項４】
錠本体部のデッドボルト操作部を回転操作し、錠本体部のデッドボルトの進退操作を行うドア用シリンダ錠であって、
錠本体部のデッドボルト操作部に空転不能に連結され、シリンダケースとの回転境界に侵入可能なロック体を保持した錠拘束体と、
シリンダケース内において所定の空転角度を有して前記錠拘束体を追随動可能に回転操作されるプラグと、
前記錠拘束体を拘束した状態でプラグを強制回転させた際に該プラグに追随動し、ロック体を回転境界に押し出して保持する駆動カムとを有するドア用シリンダ錠。
【請求項５】
プラグは前記錠固定用回転位置以外の回転位置において解錠キーの抜き差しが可能であり、
かつ、プラグと駆動カムとの間には、プラグの錠固定用回転位置側から解錠キー抜き差し位置までの空転を許容する空転域が設定される請求項４記載のドア用シリンダ錠。
【発明の詳細な説明】
【技術分野】
【０００１】
本発明は、ドア用錠装置に関するものである。
【背景技術】
【０００２】
ドアに開設した穴から工具等を挿入し、屋内側のサムターンを操作して行われるドアへの不正解錠操作を防止するためのサムターン装置としては、特許文献１記載のものが知られている。
【０００３】
この従来例において、サムターン装置には、回転操作時の摘みとなるサムターン部材が外嵌されるシリンダと、クラッチを介してサムターン部材に連結されるテールピースとを有する。テールピースは錠部に連結されており、室内側からキーにより操作可能なシリンダを操作すると、クラッチは断状態となり、以後、サムターン部材に回転操作力を与えてもテールピースを回転させることができず、解錠操作が不可能になる。
【特許文献１】特開２００３-３７０２号公報
【発明の開示】
【発明が解決しようとする課題】
【０００４】
しかし、上述した従来例は、サムターン部材による室内側からの操作を不可能になるために、まず、室内側からサムターン部材を操作することが必要であり、サムターン部材ロックの施錠信頼性に欠けるという欠点がある。
【０００５】
すなわち、サムターン部材は、室内側から施解錠する部材であり、外部から室内に入った時には施錠部材としての認識が強くなるが、反面、室外に出る場合には、ドアを開放して室外に移動することに注意が向けられるために、サムターン部材は、専ら解錠用部材として意識される。この結果、サムターン部材に対する施錠操作は忘れられやすくなる。
【０００６】
同様の理由により、外出時には、室外側に装着されているシリンダ錠は施錠部材として意識されることが多いために、シリンダ錠の操作時にサムターン部材の施錠を行うことができたならば、サムターン部材に対する施錠操作の信頼性も向上させることが期待できる。
【０００７】
本発明は、以上の認識の下、サムターン装置の施錠をシリンダ錠側から可能にすることにより、サムターン装置の施錠のし忘れ等を防止できるようにしたドア用錠装置の提供を目的とする。
【０００８】
また、本発明の他の目的は、かかる錠装置に利用可能なドア用シリンダ錠の提供にある。
【課題を解決するための手段】
【０００９】
本発明によれば上記目的は、
デッドボルト操作部１への回転操作により進退操作されるデッドボルトを備え、ドア体２に固定される錠本体部３と、
前記デッドボルト操作部１を室内側から操作するサムターン装置４と、
シリンダケース５内に挿入したプラグ６への回転操作により前記デッドボルト操作部１を室外側から操作するシリンダ錠７と、
室外からの操作による前記デッドボルト操作部１の拘束が可能で、シリンダ錠７の施錠状態において拘束状態が維持され、かつ、真正な解錠キー８によるシリンダ錠７への操作によりデッドボルト操作部１への拘束が解除される錠拘束体９とを有するドア用錠装置を提供することにより達成される。
【００１０】
デッドボルトを操作するために、錠本体部３にはデッドボルト操作部１が設けられており、該デッドボルト操作部１に室外側からはシリンダ錠７により、室内側からはサムターン装置４により回転操作が加えられて施解錠操作が行われる。
【００１１】
錠拘束体９は、室外側から操作してデッドボルト操作部１を拘束することが可能であり、拘束状態においては、サムターン装置４を使用した操作も不能となるために、サムターン装置４への不正アクセスによる解錠操作を確実に防止できる。
【００１２】
錠拘束体９は、シリンダ錠７と錠本体部３のいずれにも設けることができる。シリンダ錠７に設ける場合には、後に詳述するが、プラグ６への回転操作をデッドボルト操作部１に伝達する部材をロックすることによって、デッドボルト操作部１を間接的に拘束するように構成される。また、錠本体部３側に錠拘束体９を配置する場合には、錠本体部３内にデッドボルト操作部１に対する適宜の回転ストッパ、あるいはデッドボルトの進退動作に対するストッパを設ければよく、この場合、錠拘束体９への操作用レバー等が外部に配置される。
【００１３】
錠拘束体９への室外からの操作は、例えば、ドア体２に予め配置されたボタン等を使用したり、あるいはシリンダ錠７を利用することができる。シリンダ錠７による上記操作用レバー等の作動は、シリンダ錠７内のプラグ６への回転操作に加え、プラグ６の押し込み操作等適宜の動作が利用できる。
【００１４】
悪戯等によるサムターン装置４の無効化を防止するために、錠拘束体９による拘束状態の維持は、シリンダ錠７に対する施錠状態に対応している必要があり、これは、例えば、プラグ６に、施錠回転位置において上記操作用レバー等の解除動作を規制するストッパ部も設けることにより簡単に達成できる。
【００１５】
したがってこの発明において、室外から操作するシリンダ錠７への操作によって錠本体部３自体をロックし、室内のサムターン装置４を使用しても解錠操作をすることができなくなるために、室外からのサムターン装置４への不正アクセスを完全に防止することができる。
【００１６】
シリンダ錠７のプラグ６に対する回転操作により錠拘束体９を作動させる場合には、
上記プラグ６を施錠回転位置（ＰＬ）を超えて錠固定用回転位置（ＰＦ）まで回転操作可能とし、
錠拘束体９は、プラグ６の錠固定用回転位置への移動に伴って拘束動作し、プラグ６の解錠回転位置側への移動に伴って拘束解除されるように構成することができる。
【００１７】
このように構成すると、錠拘束体９の作動は、施錠回転位置（ＰＬ）からさらにオーバーランさせた錠固定用回転位置（ＰＦ）までのプラグ６の回転を条件とするために、外出時には、サムターン装置４による操作が可能な施錠状態と、サムターン装置４による操作が不可能な施錠状態とを選択することが可能になる。この結果、例えば、室内に人を残して外出する際には、通常の施錠状態としておくと、室内に残った人のドア開閉操作が通常の状態でできるために、使い勝手が低下することがない。この場合、過って室内に人がいるのに錠拘束体９の作動状態でシリンダ錠７を施錠した場合に備え、サムターン装置４に非常用の拘束解除機構を設けることが可能であり、拘束解除機構には、室内側からの操作のみが可能で、外部から工具等を使用した操作が完全に不可能なものが使用される。
【００１８】
また、ドア用錠装置は、
デッドボルト操作部１への回転操作により進退操作されるデッドボルトを備え、ドア体２に固定される錠本体部３と、
前記デッドボルト操作部１を室内側から操作するサムターン装置４と、
前記デッドボルト操作部１を室外側から操作するシリンダ錠７とを有するドア用錠装置であって、
前記シリンダ錠７は、錠本体部３のデッドボルト操作部１に空転不能に連結され、シリンダケース５との回転境界に侵入可能なロック体１０を保持した錠拘束体９と、
シリンダケース５内において解錠キー８の抜去可能な中立回転位置（ＰＮ）を中心とする施解錠回転ストローク内での回転操作により前記錠拘束体９を追随動させてデッドボルト操作部１への施解錠操作がなされるとともに、中立回転位置（ＰＮ）においてサムターン装置４による錠本体部３の施解錠操作が許容されるプラグ６と、
前記プラグ６が施解錠回転ストロークの施錠側ストローク終端を超えて回転操作された際に該プラグ６に追随し、ロック体１０を回転境界に押し出して保持する駆動カム１１とを有して構成することができる。
【００１９】
この場合、プラグ６は施解錠回転ストローク内で回転操作することによりデッドボルト操作部１を動作させることが可能であり、錠本体部３への施解錠操作が終了すると、所定の空転域を利用してデッドボルト操作部１を動作させることなく、一旦中立回転位置（ＰＮ）まで戻されて解錠キー８が抜去される。中立回転位置（ＰＮ）において解錠キー８を抜去した状態においては、プラグ６はシリンダケース５に対して回転不能であるが、プラグ６と錠拘束体９との間には、デッドボルト操作部１側での施解錠のための回転ストロークに対応する空転域が設定され、サムターン装置４側からの錠本体部３への施解錠操作が許容される。
【００２０】
一方、錠本体部３のデッドボルトが飛び出した施錠状態において、デッドボルト操作部１は施錠方向の回転ストローク終端位置にあって、同一方向へのさらなる回転操作が不可能となる。この状態でプラグ６に施錠回転位置（ＰＬ）を超えて回転操作力を与えた場合には、プラグ６は、デッドボルト操作部１により回転が拘束される錠拘束体９に対して空転して錠固定用回転位置（ＰＦ）まで移動する。当該回転範囲において、駆動カム１１はプラグ６に追随しており、駆動カム１１の回転により、錠拘束体９に保持されていたロック体１０は錠拘束体９とシリンダケース５との回転境界に侵入して保持される。
【００２１】
ロック体１０の移動により錠拘束体９はシリンダケース５に対して固定された状態となるために、以後、サムターン装置４を利用したデッドボルトの操作が不可能になる。この後、プラグ６に解錠回転位置方向の回転操作力を与えると、プラグ６は拘束されている錠拘束体９に対して駆動カム１１を引き連れて空転し、ロック体１０は錠拘束体９内に退避する。この状態で錠拘束体９とシリンダケース５との回転境界は開放されているために、以後、施解錠用ストロークとデッドボルト操作部１側の回転ストロークとの差分範囲でのプラグ６によるデッドボルトの操作が可能になる。
【００２２】
上記ドア用錠装置には、
錠本体部３のデッドボルト操作部１を回転操作し、錠本体部３のデッドボルトの進退操作を行うドア用シリンダ錠７であって、
錠本体部３のデッドボルト操作部１に空転不能に連結され、シリンダケース５との回転境界に侵入可能なロック体１０を保持した錠拘束体９と、
シリンダケース５内において所定の空転角度を有して前記錠拘束体９を追随動可能に回転操作されるプラグ６と、
前記錠拘束体９を拘束した状態でプラグ６を強制回転させた際に該プラグ６に追随動し、ロック体１０を回転境界に押し出して保持する駆動カム１１とを有するドア用シリンダ錠７が使用できる。
【００２３】
また、プラグ６を回転操作するための解錠キー８がオーバーストローク終端においても抜去、挿入可能に構成される場合には、駆動カム１１とロータとは一体に形成することも可能であるが、当該回転位置を解錠キー８の抜去可能位置にしない場合には、プラグ６と駆動カム１１との間に、プラグ６の錠固定用回転位置（ＰＦ）側から解錠キー８抜き差し位置までの空転を許容する空転域が設定される。
【発明の効果】
【００２４】
本発明によれば、サムターン装置の拘束動作を室外側から可能にすることにより、室外からのサムターン装置への操作による不正解錠を確実に防止することができる。
【発明を実施するための最良の形態】
【００２５】
図１に示すように、ドア用錠装置は、ドア体２内に収容される錠本体部３と、ドア体２の室内側壁面に配置されるサムターン装置４と、ドア体２の室外側壁面に配置されるシリンダ錠７とを有する。
【００２６】
錠本体部３は、錠ケース３ａ内に図外のデッドボルトを収容して形成される。図１（ｂ）に示すように、錠本体部３にはデッドボルト操作部１が設けられ、このデッドボルト操作部１を所定の回転ストローク（図示の例では９０°）で回転させることによりデッドボルトをドア枠側に固定された図外のストライクに進退させ、ドア体２の施解錠を行う。
【００２７】
サムターン装置４は、上記デッドボルト操作部１に空転不能に嵌合するサムターン軸４ａを有する。サムターン軸４ａには、操作摘み４ｂが連結され、該操作摘み４ｂを回転させることにより上記デッドボルトを操作することができる。
【００２８】
シリンダ錠７は、シリンダケース５内に挿入され、キー挿入溝６ａに真正な解錠キー８を挿入した場合にのみシリンダケース５に対して相対回転操作可能なプラグ６を有する。
図２（ａ）に示すように、上記プラグ６の終端には駆動カム１１が連結される。駆動カム１１は、自由端側、すなわち、サムターン装置４側が細径とされた段付き円筒形状をなしており、太径部１１ａの端面には、プラグ６の終端面から突出するジョイント６ｂが回転自在に嵌合するジョイント収容凹部１１ｂが設けられる。ジョイント収容凹部１１ｂには、駆動カム１１をプラグ６の回転に追随動させるために、ジョイント６ｂの回転領域に突出する駆動用突部１２が設けられる。プラグ６が空転域を超えて回転操作された場合にのみ駆動カム１１が回転するように、プラグ６と駆動カム１１との間には、所定の空転域が設定される。
【００２９】
また、図２（ｃ）に示すように、駆動カム１１の太径部１１ａの外周壁には、点対称位置に一対のロックボール収容凹部１３が形成されるとともに、これらロックボール収容凹部１３に対して９０°回転した位置に、連続した３個の凹部１４ａ、１４ｂ、１４ｃからなるストッパ部１４の一対が形成される。さらに、駆動カム１１の細径部１１ｃの外周壁には、クリックボール収容孔１５が穿孔され、圧縮スプリング１６ａにより飛び出し方向に付勢されるクリックボール１６が挿入される。
【００３０】
以上のように構成される駆動カム１１には、錠拘束体９が連結される。錠拘束体９は、上記駆動カム１１の太径部１１ａに回転自在に外嵌する太径リング部９ａから先端方に上記デッドボルト操作部１に空転不能に嵌合する嵌合突起部９ｂを突出させて形成される。この錠拘束体９は、太径リング部９ａをシリンダケース５に形成された拘束体収容凹部５ａ内に回転自在に嵌合させて装着され、シリンダケース５に固定されるストッパプレート１７によりシリンダケース５からの脱落が防止される。シリンダケース５の拘束体収容凹部５ａの内周壁には、９０°間隔で４個のロックボール嵌合凹部１８が凹設される。
【００３１】
また、錠拘束体９の太径リング部９ａには点対称位置に一対のロックボール保持溝１９が形成され、球状のロック体１０が収容される。さらに、太径リング部９ａの駆動カム１１との摺接壁面には、駆動カム１１側に形成される凹部１４ａ、１４ｂ、１４ｃに係合可能な円弧状突起２０が突設される。これらロックボール保持溝１９と円弧状突起２０とは、互いに９０°回転した位置に設けられており、図２（ｃ）に示すように、ロックボール保持溝１９、すなわち、ロック体１０がシリンダケース５のロックボール嵌合凹部１８に正対した状態で、円弧状突起２０がストッパ部１４の中央の凹部１４ｂに係合する。
【００３２】
これに対し、錠拘束体９の嵌合突起部９ｂの内周壁、すなわち、駆動カム１１の細径部１１ｃとの摺接壁には、点対称位置に一対のクリックボール係合凹部２１が形成される。このクリックボール係合凹部２１は、図２（ｄ）に示すように、円弧状突起２０が中央の凹部１４ｂに係合した状態でクリックボール収容孔１５に正対する位置に形成される。
【００３３】
以上のように構成されるドア用錠装置の動作について説明する。まず、図２に錠本体部３が解錠状態すなわち、デッドボルトが錠ケース３ａ内に収容され、さらに、プラグ６が中立回転位置（ＰＮ）にある状態を示す。プラグ６の中立回転位置（ＰＮ）においては、図２（ｂ）に示すように、プラグ６のキー挿入溝６ａは縦姿勢で、図２（ｃ）に示すように、プラグ６のジョイント６ｂは横姿勢となる。また、ロック体１０等は、上述した相対位置関係を保持し、錠拘束体９と駆動カム１１は、クリックボールのクリックボール係合凹部２１への係合と、円弧状突起２０の凹部１４ｂへの係合により回転方向に連結される。
【００３４】
この状態でサムターン装置４を施錠方向に回転操作した場合、デッドボルト操作部１を介して錠拘束体９は、図２（ｄ）において時計回り方向の回転操作力が与えられる。一方、ロック体１０は錠拘束体９のロックボール保持溝１９内に保持されておりシリンダケース５に対して相対回転可能であり、ロック体１０が正対するロックボール嵌合凹部１８に落ち込んだ場合であっても、錠拘束体９に回転操作力を与えると、ロック体１０はロックホール保持溝内に移動可能であるために、錠拘束体９の回転可能性は保持される。
【００３５】
これに対し、プラグ６は解錠キー８を抜去した状態で回転不能であるが、プラグ６のジョイント６ｂと駆動カム１１の駆動用突部１２との間には、図２（ｃ）に示すように、錠拘束体９の時計回り方向への空転域が設定されているために、錠拘束体９は当該方向に回転可能であり、サムターン装置４による施錠操作は保証される。
【００３６】
この状態からプラグ６を解錠キー８により施錠方向に回転操作すると、プラグ６のジョイント６ｂが駆動カム１１の駆動用突部１２に当接して駆動カム１１を施錠回転位置（ＰＬ）側に回転させる。上述したように、駆動カム１１と錠拘束体９とは、回転方向に連結状態にあるために、駆動カム１１の回転に伴って錠拘束体９も施錠回転位置（ＰＬ）側に回転し、図３（ａ）、（ｂ）に示す施錠回転位置（ＰＬ）において錠本体部３のデッドボルト操作部１は、図１（ｂ）に示す解錠状態から施錠状態側に作動角（θ）だけ回転駆動され、デッドボルトが錠ケース３ａから突出した施錠状態となる。
【００３７】
この状態で、再び、プラグ６を中立回転位置（ＰＮ）まで回転させて解錠キー８を抜去すると、図３（ｃ）、（ｄ）に示す状態となる。施錠状態でのプラグ６の中立位置においては、プラグ６と駆動カム１１及びこれに連結される錠拘束体９との間には、錠拘束体９が解錠方向（反時計回り方向）に回転するための空転域が配置されるために、サムターン装置４を使用した錠本体部３への解錠操作が保証される。
【００３８】
以上のようにして、プラグ６を中立回転位置（ＰＮ）を中心とする施解錠ストローク内で回転操作させることにより、通常の錠装置と全く同様に、錠本体部３の状態にかかわらず、サムターン装置４を使用した室内側からの錠本体部３への施解錠操作ができる。
【００３９】
次に、プラグ６を施解錠ストロークの施錠側ストローク終端からさらに錠固定用回転位置（ＰＦ）までオーバーストロークさせた場合の動作を図４に示す。プラグ６に与えられた錠固定用回転位置（ＰＦ）方向への回転操作力は、ジョイント６ｂと駆動用突部１２との当接部を経由して駆動カム１１に伝達される。一方、錠本体部３が施錠状態にある場合には、デッドボルト操作部１は施錠方向に回転不能であり、錠拘束体９を回転させることはできないために、駆動カム１１と錠拘束体９との連結界面に相対移動の力が付加される。この結果、図４（ｂ）に示すように、錠拘束体９の円弧状突起２０と凹部１４ｂとの係合がいずれか一方、あるいは双方の弾性変形を伴って解除され、さらに、図４（ｃ）に示すように、駆動カム１１のクリックボール係合凹部２１に係合していたクリックボール１６は、該クリックボール係合凹部２１の壁面から分力を受けて錠拘束体９のクリックボール収容孔１５内に退避する。
【００４０】
この状態で駆動カム１１と錠拘束体９との連結は解除され、図４（ｂ）に示すように、プラグ６によりドライブされた駆動カム１１は、ストッパ部１４の端部に位置する凹部１４ａに円弧状突起２０が再び弾発係合するまで錠拘束体９に対して相対回転する。駆動カム１１が錠拘束体９に対して相対回転すると、駆動カム１１のロックボール収容凹部１３内に嵌合していたロック体１０は、該ロックボール収容凹部１３から外方への押し出し方向の分力を受け、施錠回転位置（ＰＬ）で正対していたシリンダケース５のロックボール嵌合凹部１８に移動する。
【００４１】
図４（ｂ）に示すように、ロックボール嵌合凹部１８に嵌合したロック体１０は、錠拘束体９とシリンダケース５との摺動境界面を閉塞し、さらに、駆動カム１１が固定用回転位置に対応する位置まで回転すると、ロック体１０の上記境界面からの退避も駆動カム１１の外周壁面により妨げられ、境界面閉塞位置にとどまる。この後、図４（ｄ）、（ｅ）に示すように、空転域を利用してプラグ６を中立回転位置（ＰＮ）に戻して解錠キー８を抜去すると、以後、錠拘束体９を回転させることができなくなり、サムターン装置４を使用した錠本体部３への解錠操作も不可能になる。
【００４２】
この錠拘束体９が拘束され、かつ、プラグ６が中立回転位置（ＰＮ）にある状態から、プラグ６を解錠方向に回転操作すると、回転が拘束された錠拘束体９と、プラグ６により回転操作力が与えられる駆動カム１１との回転境界に、上述したのと反対方向の力が付加される。これにより、図５（ａ）に示すように、ロック体１０は再び駆動カム１１のロックボール収容凹部１３内に落ち込み、ロック体１０による錠拘束体９とシリンダケース５との回転境界面の閉塞が解除され、以後、図５（ｂ）に示すように、錠本体部３への解錠操作を行うことができる。
【００４３】
なお、以上の説明に使用した錠装置に対する勝手違いの場合には、図６（ａ）、（ｂ）の状態が図４（ｅ）、（ｃ）の状態に対応し、凹部、ロックボール嵌合凹部１８、クリックボール嵌合凹部が２対形成されるのは、これら勝手違いに対応するためのものである。
【図面の簡単な説明】
【００４４】
【図１】本発明を示す図で、（ａ）はドア体に固定した状態を示す断面図、（ｂ）は錠本体部を図１（ａ）において矢印１Ｂ方向から見たデッドボルト操作部近傍の図である。
【図２】図１の要部を示す図で、（ａ）はシリンダ錠の先端部の拡大断面図、（ｂ）は図２（ａ）の２Ｂ-２Ｂ線断面図、（ｃ）は図２（ａ）の２Ｃ-２Ｃ線断面図、（ｄ）は図２（ａ）の２Ｄ-２Ｄ線断面図である。
【図３】施錠操作を示す図で、（ａ）はプラグを施錠回転位置まで回転操作した状態を示す図２（ｂ）に対応する図、（ｂ）は図２（ｃ）に対応する図、（ｃ）は図２（ｄ）に対応する図、（ｄ）はプラグを中立回転位置まで戻した状態を示す図２（ａ）の２Ｃ-２Ｃ線断面図である。
【図４】プラグを錠固定用回転位置まで回転操作した状態を示す図で、（ａ）は図２（ｂ）に対応する図、（ｂ）は図２（ｃ）に対応する図、（ｃ）は図２（ｄ）に対応する図、（ｄ）はプラグを中立回転位置まで戻した状態を示す図２（ａ）の２Ｂ-２Ｂ線断面図、（ｅ）はプラグを中立回転位置まで戻した状態を示す図２（ａ）の２Ｃ-２Ｃ線断面図である。
【図５】錠拘束体の拘束解除操作を示す図で、（ａ）は図４（ｅ）に対応する図、（ｂ）はプラグを解錠回転位置まで回転操作したときの図２（ａ）の２Ｃ-２Ｃ線断面図である。
【図６】図２の勝手違い仕様のシリンダ錠を示す図で、（ａ）は錠固定用回転位置における図２（ａ）の２Ｃ-２Ｃ線断面図、（ｂ）は図２（ａ）の２Ｄ-２Ｄ線断面図である。
【符号の説明】
【００４５】
１        デッドボルト操作部
２        ドア体
３        錠本体部
４        サムターン装置
５        シリンダケース
６        プラグ
７        シリンダ錠
８        解錠キー
９        錠拘束体
１０      ロック体
１１      駆動カム
【図１】
2005133487.tif 000003
【図２】
2005133487.tif 000004
【図３】
2005133487.tif 000005
【図４】
2005133487.tif 000006
【図５】
2005133487.tif 000007
【図６】
2005133487.tif 000008